(57)【要約】【課題】  緊急時に降りられる状態に容易かつ迅速にセットできると共に、使用後も容易に収納状態とすることができ、さらに、揺れや傾きが少なく、スムースに降りることができる避難はしごを提供することを目的とする。【解決手段】  中央部に貫孔10を有する上下複数枚の足掛水平板１を有する。そして、上下隣り合う足掛水平板１，１の左右端縁１ａ，１ａ相互を、側外方へのみくの字状に折曲可能な上下中間ヒンジ部11を有する折畳連結側板体２にて連結し、上下複数枚の足掛水平板１を重合状態と分離展開状態に切換自在とする。さらに、貫孔10に挿通されて重合状態と分離展開状態に操作する操作ロープ３を、備える。【選択図】  図１
2005220540.tif 000002
【特許請求の範囲】
【請求項１】
中央部に貫孔（10）を有する上下複数枚の足掛水平板（１）を有し、上下隣り合う該足掛水平板（１)(１）の左右端縁（１ａ)(１ａ）相互を、側外方へのみくの字状に折曲可能な上下中間ヒンジ部（11）を有する折畳連結側板体（２）にて連結し、上下複数枚の上記足掛水平板（１）を重合状態と分離展開状態に切換自在とし、
さらに、上記貫孔（10）に挿通されて上記重合状態と分離展開状態に操作する操作ロープ（３）を、備えたことを特徴とする避難はしご。
【請求項２】
外壁（15）の上端部（15ａ）に左右方向水平軸心（Ｙ）廻りに揺動可能に枢支された一対の支持部材（21)(21）が設けられ、該支持部材（21）の先端部（21ａ）寄りは上記外壁（15）の屋内側（17）と屋外側（16）に交互に突出自在に構成され、
上記支持部材（21）の上記先端部（21ａ）に、最上位置の上記折畳連結側板体（２）が取り付けられている請求項１記載の避難はしご。
【請求項３】
上記折畳連結側板体（２）は、人の手（24）で把持可能な把持部（８）を形成する窓部（５）が貫設されている請求項１又は２記載の避難はしご。
【請求項４】
上記外壁（15）の上端部（15ａ）を乗り越える際に人の手（24）が把持するための取手部（９）が、上記支持部材（21）に固着されている請求項２又は３記載の避難はしご。
【発明の詳細な説明】
【技術分野】
【０００１】
本発明は、マンションのベランダやバルコニー等の外壁に設けられ緊急時に外部へ脱出するための避難はしごに関するものである。
【背景技術】
【０００２】
従来の避難はしごは、複数本の足掛用水平棒体が上下等間隔に配列されるように左右一対の縄で連結されて、縄の上部が外壁に固定されて構成されて、通常時には外壁に貫設された開口状収納部内に収納され、火災などの緊急時に下方へ垂れ下げられて、使用されるものが知られている（例えば、特許文献１参照）。
【特許文献１】特開２００２−８８９０４号公報
【発明の開示】
【発明が解決しようとする課題】
【０００３】
この従来の避難はしごを降りる際に、手で把持した縄や水平棒体の位置に対し、足を掛けた足掛用水平棒体が屋内側へ大きく傾いた状態になってしまい非常に降りづらい。さらに、縄で連結されているため降りる際に前後左右に揺れてしまい、スムースに降りられない。
また、使用後に再び外壁の収納部に収納するために、一旦はしごを上に引き上げて、きれいに折り畳まなければならず、手間が掛かる。
【０００４】
そこで、本発明は、緊急時に降りられる状態に容易かつ迅速にセットできると共に、使用後も容易に収納状態とすることができ、さらに、揺れや傾きが少なくスムースに降りることができる避難はしごを提供することを目的とする。
【課題を解決するための手段】
【０００５】
上記の目的を達成するために、本発明に係る避難はしごは、中央部に貫孔を有する上下複数枚の足掛水平板を有し、上下隣り合う該足掛水平板の左右端縁相互を、側外方へのみくの字状に折曲可能な上下中間ヒンジ部を有する折畳連結側板体にて連結し、上下複数枚の上記足掛水平板を重合状態と分離展開状態に切換自在とし、さらに、上記貫孔に挿通されて上記重合状態と分離展開状態に操作する操作ロープを、備えている。
【０００６】
また、外壁の上端部に左右方向水平軸心廻りに揺動可能に枢支された一対の支持部材が設けられ、該支持部材の先端部寄りは上記外壁の屋内側と屋外側に交互に突出自在に構成され、上記支持部材の上記先端部に、最上位置の上記折畳連結側板体が取り付けられている。
【０００７】
また、上記折畳連結側板体は、人の手で把持可能な把持部を形成する窓部が貫設されている。
さらに、上記外壁の上端部を乗り越える際に人の手が把持するための取手部が、上記支持部材に固着されている。
【発明の効果】
【０００８】
本発明は、次のような著大な効果を奏する。
平時には、避難はしごをコンパクトに折畳状態で収納でき、かつ、緊急時には、外壁から下方へ放つだけで、容易かつ迅速に、降りることができる状態にセットできる。
また、足掛水平板の左右は折畳連結側板体で連結されており、降りる際の前後・左右方向への揺れ・傾きが少ないので、スムースに降りることができ、迅速に避難活動を行い得る。
そして、避難終了後には、上方から操作ロープを引き上げるだけで、全ての折畳連結側板体を折り曲げ、足掛水平板を相互に重合して、折畳状態にできるので、手間・時間を掛けることなく、収納することができる。
【０００９】
また、避難はしごの上部に付設された支持部材が、外壁に揺動可能に枢支されるので、外壁の屋内側で折畳状態で保持された状態から、緊急時には、屋外側へ迅速に転倒することができ、この転倒により、避難はしごは直ちに下方へと伸びてセットされるので、迅速な避難活動を図り得て至便である。
また、避難終了後に避難はしごを収納する際も、容易に屋内側に転倒することができる。
【発明を実施するための最良の形態】
【００１０】
以下、実施の形態を示す図面に基づき、本発明を詳説する。
図１，図２，図３，図４及び図５に示すように、本発明に係る避難はしごは、手24と足25を掛けて外壁15の屋外側16へ降りることを可能とする折畳式はしご本体50と、この折畳式はしご本体50の上部をベランダやバルコニー等の外壁15の上端部15ａに取り付ける上部取付部材６と、を有する。
【００１１】
上記折畳式はしご本体50は、中央部に貫孔10を有する上下複数枚の足掛水平板１…と、上下隣り合う足掛水平板１，１の左右端縁１ａ，１ａ相互を連結し側外方へのみくの字状に（前後方向水平軸心Ｘ廻りに）折曲可能な上下中間ヒンジ部11を有する折畳連結側板体２と、を有する。そして、上下隣り合う足掛水平板１，１を重合状態と分離展開状態に切換自在としている。
上記ヒンジ部11は、折畳連結側板体２を側内方へくの字状に折り曲がるのを防止するためのストッパ30を有する。一例を説明すると、ヒンジ部11は、前後方向水平軸心Ｘ廻りに相互に異なる方向に回転可能な軸部41，42から成る蝶番構造を有し、上記ストッパ30は、上記軸部41，42に夫々固着される第１・第２係止凸部31，32から成り、第１・第２係止凸部31，32は、折畳連結側板体２が伸長状態に於て相互に係止し（図５（ａ）参照）、側外方へくの字状に折曲状態に於て離間する（図５（ｂ）参照）ように、構成される。
【００１２】
かつ、折畳式はしご本体50は、足掛水平板１の端縁１ａ及び上下に連続して配設される折畳連結側板体２，２の下端縁・上端縁を連結するヒンジ部12を有し、このヒンジ部12により、上下に連続する折畳連結側板体２，２は側内方へのみ前後方向水平軸心Ｘ廻りにくの字状に折曲可能となる。このヒンジ部12は、ヒンジ部11と同様の蝶番構造で、ヒンジ部11と逆の構成のストッパを有するものであってもよい。
このように、複数の折畳連結側板体２…がヒンジ部11…，12…により折畳・伸長状態に切り換わるに伴って、上下複数枚の足掛水平板１…が、重合状態と分離展開状態に切換自在に構成される。
【００１３】
足掛水平板１及び折畳連結側板体２は、強度及び防蝕性を有し軽量の、アルミやスチール材等の金属から成るのが好ましい。
また、各足掛水平板１の厚さ寸法ｈを10mm乃至15mmとし、１セットの折畳式はしご本体50が、15枚乃至25枚の足掛水平板１…を具備するのが好ましい。このように設定することで、折畳状態の折畳式はしご本体50の高さ寸法Ｈ0 を低くすることができる（図３（ａ）参照）。
また、上下隣り合う足掛水平板１，１の間隔寸法Ｈを、折畳連結側板体２が伸長状態の際に、32cm乃至35cmとなるように設定するのが好ましい。
【００１４】
また、折畳式はしご本体50は、複数枚の足掛水平板１…の貫孔10…に挿通されて足掛水平板１…を重合状態と分離展開状態に操作する操作ロープ３を、備える。
操作ロープ３の一端３ａは、最下位置の足掛水平板１の裏面７側に於て、該裏面７に係止可能な係止部13を有し、操作ロープ３の他端３ｂは、外壁15の内壁面や床面等の近傍に固定される。係止部13は、図例のように、操作ロープ３の一端３ａを結んで形成されたものでもよい。
また、折畳連結側板体２は、人の手24で把持可能な把持部８を形成する矩形状の窓部５が、夫々のヒンジ部11，12の中間位置毎に、貫設されている。
【００１５】
次に、上記上部取付部材６は、外壁15の上端部15ａに固定される一対の固定部材22，22と、該固定部材22，22に左右方向水平軸心Ｙ廻りに揺動可能に枢支されると共に最上位置の折畳連結側板体２が取り付けられる一対の支持部材21，21と、から成る。
具体的には、固定部材22，22は、外壁15の上端部15ａの前後方向略中央部に固定される。そして、支持部材21は、棒形状であり、その先端部21ａ側に最上位置の折畳連結側板体２の上端が取り付けられ、かつ、その他端部21ｂが、上記固定部材22に枢支される。
このように、支持部材21の先端部21ａ寄りは、外壁15の屋内側17と屋外側16に交互に転倒自在となって、突出状となるように構成される。
支持部材21が屋内側17と屋外側16に交互に転倒状態の際には、支持部材21の他端部21ｂ寄りは、外壁15の上端部15ａに当接して支持され、前後方向に水平状に保持される。
【００１６】
また、支持部材21，21は、その上部に、外壁15の上端部15ａを乗り越える際に人の手24が把持するための取手部９，９が、固着される。図例では、取手部９は、支持部材21に両端を付設された弯曲ループ状棒体であるが、形状は設計変更自由である。
【００１７】
次に、上述した避難はしごの使用方法について説明する。
まず、収納状態の避難はしごは、図２，図３（ａ）に示すように、屋内側17で折畳状態となっている。即ち、上部取付部材６の支持部材21が屋内側17へ転倒して外壁15の上端部15ａ上に水平状に保持され、折畳式はしご本体50は、ヒンジ部11…，12…が折り曲がって全ての足掛水平板１…が相互に重合し、支持部材21の上方に載置された状態となっている。このとき、操作ロープ３の一端３ａの係止部13は、折畳式はしご本体50の上部に載置され、他端３ｂ側は、外壁15の屋内側17で弛んだ状態である。
【００１８】
そして、例えば火災などの緊急事態が起きたら、矢印38のように、支持部材21を左右方向水平軸心Ｙ廻りに揺動させて、避難はしごを屋外側16へ転倒させて、図３（ｂ）の状態にする。
すると、足掛水平板１…が、矢印36のように落下して相互に分離し、左右両側の折畳連結側板体２…，２…が伸長して、図１の状態になる。
【００１９】
そして、屋内側17にいる人は、手24で取手部９を把持しながら外壁15の上端部15ａを乗り越え、左右の折畳連結側板体２，２の把持部８…を手24で把持しつつ足25を足掛水平板１…に掛けて、降りて避難する。このとき、折畳式はしご本体50は、左右両側の折畳連結側板体２，２により前後左右方向の揺れが少なく、スムースに降りることができる。
【００２０】
上記避難が終了し、無事を確認後、外壁15の屋内側17へ行き、そこから操作ロープ３を上方へ引き上げると、操作ロープ３の一端３ａの係止部13が最下位置の足掛水平板１の裏面７に係止して、図４のように、ヒンジ部11…，12…により左右の折畳連結側板体２，２が夫々側外方・側内方へくの字に折れ曲がり、最下位置の足掛水平板１から順に上方の足掛水平板１に重合状態になる。
さらに、矢印37のように操作ロープ３を引き上げると、全ての折畳連結側板体２，２が折れ曲がり、足掛水平板１…が相互に重合して図３（ｂ）の状態になる。
そして、支持部材21を左右方向水平軸心Ｙ廻りに揺動させて、避難はしごを屋内側17へ転倒させると、再び、図２，図３（ａ）に示す折畳（収納）状態となる。
【００２１】
以上のように、避難はしごは、中央部に貫孔10を有する上下複数枚の足掛水平板１を有し、上下隣り合う足掛水平板１，１の左右端縁１ａ，１ａ相互を、側外方へのみくの字状に折曲可能な上下中間ヒンジ部11を有する折畳連結側板体２にて連結し、上下複数枚の足掛水平板１を重合状態と分離展開状態に切換自在とし、さらに、貫孔10に挿通されて重合状態と分離展開状態に操作する操作ロープ３を、備えるので、平時にはコンパクトに折畳状態にして収納でき、かつ、ベランダ等の外壁15から下方へ放つだけで、容易に、避難する状態にセットすることができる。
また、足掛水平板１…の左右は折畳連結側板体２，２で連結されており、降りる際の前後・左右方向への揺れを少なく抑えられるので、スムースに降りることができ、迅速に避難活動を行い得る。
そして、避難終了後に、上方から操作ロープ３を引き上げるだけで、全ての折畳連結側板体２，２を折り曲げ、足掛水平板１…を相互に重合して折畳状態にできるので、手間・時間を掛けることなく、収納することができる。
【００２２】
また、外壁15の上端部15ａに左右方向水平軸心Ｙ廻りに揺動可能に枢支された一対の支持部材21，21が設けられ、支持部材21の先端部21ａ寄りは外壁15の屋内側17と屋外側16に交互に突出自在に構成され、支持部材21の先端部21ａに、最上位置の折畳連結側板体２が取り付けられているので、外壁15の屋内側17で折畳状態で保持されている避難はしごを、緊急時には、屋外側16へ迅速に転倒することができ、この転倒により、避難はしごは直ちに下方へと伸びてセットされるので、迅速な避難活動を図り得て至便である。
また、避難終了後には、容易に屋内側17に転倒して、避難はしごを収納することができる。
【００２３】
また、折畳連結側板体２は、人の手24で把持可能な把持部８を形成する窓部５が貫設されているので、簡易な構成でありながら、しっかりと把持することができ、安全に降りることができる。
【００２４】
また、外壁15の上端部15ａを乗り越える際に人の手24が把持するための取手部９が、支持部材21に固着されているので、簡易な構成でありながら、確実に把持でき、安全に乗り越えることができる。  
【図面の簡単な説明】
【００２５】
【図１】本発明に係る避難はしごの実施の一形態を示す斜視図である。
【図２】折畳状態を示す斜視図である。
【図３】折畳状態を示す側面図である。
【図４】斜視図である。
【図５】要部拡大斜視図である。
【符号の説明】
【００２６】
１  足掛水平板
１ａ  端縁
２  折畳連結側板体
３  操作ロープ
５  窓部
８  把持部
９  取手部
10  貫孔
11  ヒンジ部
15  外壁
15ａ  上端部
16  屋外側
17  屋内側
21  支持部材
21ａ  先端部
24  手
Ｙ  左右方向水平軸心
【図１】
2005220540.tif 000003
【図２】
2005220540.tif 000004
【図３】
2005220540.tif 000005
【図４】
2005220540.tif 000006
【図５】
2005220540.tif 000007